(57)【要約】【課題】  発信要求元の電話加入者端末を複数の電話網の中から接続すべき電話網に遅延無く接続可能とする通信制御装置を提供する。【解決手段】  通信制御装置（１０）は、電話加入者端末（１１−ｉ）からの発信要求信号と着信番号を公衆交換電話網（１２）とＩＰ電話網（１３）の各々に転送すると共に、受信した着信番号と予め登録された番号情報とから接続すべき電話網を判定し、接続すべきでない電話網に対して網切断要求信号を送信するように制御する制御手段を備える。【選択図】  図３
2006157322.tif 000002
【特許請求の範囲】
【請求項１】
複数の電話加入者端末を収容し、該加入者端末を複数の電話網の何れかに接続させる通信制御装置であって、
前記複数の端末の何れかから受信した番号情報を前記複数の電話網の各々に転送すると共に、前記番号情報と予め登録された番号情報とから接続すべき電話網を判定し、接続すべきでない電話網へ網切断要求信号を送信するように制御する制御手段を備えたことを特徴とする通信制御装置。
【請求項２】
複数の電話加入者端末を収容し、該加入者端末を第１の電話網又は第２の電話網の何れかに接続させる通信制御装置であって、
前記複数の端末の何れかから受信した番号情報を前記第１、第２の電話網の各々に転送すると共に、前記番号情報と予め登録された番号情報とから接続すべき電話網を判定し、接続すべきでない電話網へ網切断要求信号を送信するように制御する接続手段を備えたことを特徴とする通信制御装置。
【請求項３】
前記第１の電話網がインターネットプロトコル（ＩＰ）を使用する電話網であり、前記第２の電話網が公衆交換電話網であることを特徴とする請求項２に記載の通信制御装置。
【請求項４】
前記制御手段は、前記公衆交換電話網へは前記番号情報を透過送信し、前記ＩＰを使用する電話網へは前記番号情報をパケットの形にして送信することを特徴とする請求項３に記載の通信制御装置。
【請求項５】
複数の電話加入者端末を収容し、該加入者端末を複数の電話網の何れかに接続させる通信制御装置であって、
前記複数の電話加入者端末と接続される複数の端末インタフェースと、
前記複数の電話網と接続される複数の網インタフェースと、
前記複数の端末インタフェースの何れかで受信した番号情報を前記複数の電話網の各々に転送すると共に、前記番号情報と予め登録された番号情報とから接続すべき電話網を判定し、接続すべきでない電話網へ網切断要求信号を送信するように制御する制御部と、
を備えたことを特徴とする通信制御装置。
【請求項６】
複数の電話加入者端末を収容し、該加入者端末を第１の電話網又は第２の電話網の何れかの電話網に接続させる通信制御装置であって、
前記複数の電話加入者端末と接続される複数の端末インタフェースと、
前記第１、第２の電話網と接続される第１、第２の網インタフェースと、
前記複数の端末インタフェースの何れかで受信した前記番号情報を前記第１、第２の電話網の各々に転送すると共に、前記番号情報と予め登録された番号情報とから接続すべき電話網を判定し、接続すべきでない電話網へ網切断要求信号を送信するように制御する制御部と、
を備えたことを特徴とする通信制御装置。
【請求項７】
前記第１の電話網がインターネットプロトコル（ＩＰ）を使用する電話網であり、前記第２の電話網が公衆交換電話網であることを特徴とする請求項６に記載の通信制御装置。
【請求項８】
前記制御部は、前記公衆交換電話網へは前記番号情報を透過送信し、前記ＩＰを使用する電話網へは前記番号情報をパケットの形にして送信することを特徴とする請求項７に記載の通信制御装置。
【発明の詳細な説明】
【技術分野】
【０００１】
本発明は、発信要求元の電話加入者端末を、複数の電話網の中から接続すべき電話網に接続させる通信制御装置に関する。
【背景技術】
【０００２】
近年、ブロードバンド回線などによるインターネット利用が広く普及し、インターネットプロトコル（Ｉｎｔｅｒｎｅｔ  Ｐｒｏｔｏｃｏｌ、以下、ＩＰと称する。）を利用したＩＰ電話網が普及してきている。しかしながら、現状のＩＰ電話網では、１１０番や１１９番等の特定の番号に対して発信することができない。従って、これらの特定の番号に関しては、既存の公衆交換電話網に振り分ける必要がある。これに関連して、例えば、特許文献１には、１台の電話機で公衆交換電話網とＩＰ電話網の双方に対する発信制御又は着信制御を実行可能とする技術が記載されている。これは、発信制御装置が、電話加入者端末からダイヤル信号を受信すると、先頭のダイヤル番号若しくはダイヤル桁数に応じて、接続されている複数の電話網（公衆交換電話網、ＩＰ電話網）から発信すべき電話網を選択し発信するというものである。
【０００３】
【特許文献１】特開２００１−２１７９２９号公報
【発明の開示】
【発明が解決しようとする課題】
【０００４】
しかしながら、特許文献１に記載の技術は、電話加入者端末から送出される着信番号情報を一旦発信制御装置で受信し、その後、受信したダイヤル信号の「先頭のダイヤル番号」若しくは「ダイヤル桁数」を判定し、接続されている複数の電話網（公衆交換電話網、ＩＰ電話網）から発信すべき電話網を選択し発信を行うものである。従って、特許文献１に記載の技術では、公衆交換電話網又はＩＰ電話網の何れの電話網に接続すべきかを、発信制御装置が判断する時間分のタイムロスが発生する。その結果、発信要求元の電話加入者端末と通話相手先とが通話可能となるまでの時間が長くなり、電話加入者に対して不快な思いをさせてしまう。
【０００５】
本発明は、上記問題点を解決すべく、発信要求元の電話加入者端末を、複数の電話網の中から接続すべき電話網に遅延無く接続可能とする通信制御装置を提供することを目的とする。
【課題を解決するための手段】
【０００６】
上記目的を達成するために、本発明による通信制御装置は、電話加入者端末からの発信要求信号と着信番号を複数の電話網の各々に転送すると共に、受信した着信番号と予め登録された番号情報とから接続すべき電話網を判定し、接続すべきでない電話網に対して網切断要求信号を送信するように制御する制御手段を備える。
【発明の効果】
【０００７】
本発明によれば、発信要求元の電話加入者端末を、複数の電話網の中から接続すべき電話網に遅延無く接続可能とする通信制御装置を提供することができる。又、電話加入者に対して不快な思いをさせることもない。
【発明を実施するための最良の形態】
【０００８】
以下、本発明の実施形態について、図面を参照して詳細に説明する。
【０００９】
図１は、第１の実施形態による通信制御装置（１０）の構成及びこれを用いた通信システム（１）の構成を示す図である。通信システム（１）は、通信制御装置（１０）と、通信制御装置（１０）に接続される複数の電話加入者端末（１１−ｉ）（ｉ＝１、２、・・・、ｎ）、公衆交換電話網１２及びＩＰ電話網１３とから構成されている。
【００１０】
通信制御装置（１０）は、電話加入者端末（１１−ｉ）と接続される複数の端末インタフェース部（１００−ｉ）（ｉ＝１、２、・・・、ｎ）と、公衆交換電話網１２と接続される公衆交換電話網インタフェース部（１０１）と、ＩＰ電話網（１３）と接続されるＩＰ電話網インタフェース部（１０２）と、これら複数のインタフェース部の各々と接続されるスイッチ（１０３）と、装置全体を統括的に制御する制御部（１０４）とを備えている。
【００１１】
ここで、各端末インタフェース部（１００−ｉ）は、電話加入者端末（１１−ｉ）からの発信要求信号や着信番号を受信し、これをスイッチ（１０３）に送信する。又、各端末インタフェース部（１００−ｉ）は、着信番号を制御部（１０４）にも送信する。又、各端末インタフェース部（１００−ｉ）は、発信要求信号に応じて送信される公衆交換電話網（１２）からのダイヤルトーン信号を公衆交換電話網インタフェース部（１０１）、スイッチ（１０３）を介して受信し、これを発信要求元の電話加入者端末（１１−ｉ）に送信する。
【００１２】
スイッチ（１０３）は、制御部（１０４）の制御に基づいて、上記複数のインタフェース部の何れかのインタフェース部から受信した信号を任意のインタフェース部に出力する。
【００１３】
公衆交換電話網インタフェース部（１０１）は、スイッチ（１０３）から送信された発信要求信号や着信番号を公衆交換電話網１２に送信する。又、公衆交換電話網インタフェース部（１０１）は、公衆交換電話網（１２）からのダイヤルトーン信号をスイッチ（１０３）に送信する。ＩＰ電話網インタフェース部（１０２）は、スイッチ（１０３）から送信された発信要求信号や着信番号をパケットの形にして（以下、パケット化と称する。）、ＩＰ電話網１３に送信する。制御部（１０４）は、１１０番、１１９番等の番号情報が予め登録された情報管理テーブル（後述する）を備えている。制御部（１０４）は、電話加入者端末（１１−ｉ）からの着信番号と番号情報管理テーブル（２００）の登録内容から、接続すべき電話網を判定する。制御部（１０４）は、接続すべきでない電話網に対しては、その電話網との接続を切断するように装置内のスイッチ（１０３）を制御すると共に、網切断要求信号を生成し、その電話網と接続されるインタフェース部に送信する。網切断要求信号を受信したインタフェース部は、これを接続先の電話網に送信する。
【００１４】
詳細を後述するが、本発明による通信制御装置（１０）は、電話加入者端末（１１−ｉ）からの発信要求信号と着信番号を公衆交換電話網（１２）とＩＰ電話網（１３）の各々に転送すると共に、受信した着信番号と予め登録された番号情報とから接続すべき電話網を判定し、接続すべきでない電話網に対して網切断要求信号を送信するように制御する制御手段を備える。
【００１５】
図２は、制御部（１０４）に備える番号情報管理テーブル（２００）の構成を示す図である。番号情報管理テーブル（２００）には、１１０番、１１９番等の公衆交換電話網へ発信する特定の着信番号情報が登録されている。通信制御装置（１０）は、電話加入者端末（１１−ｉ）からの着信番号が番号情報管理テーブル（２００）に登録されていれば、接続すべき電話網は公衆交換電話網（１２）と判定し、ＩＰ電話網（１３）に対して網切断要求信号を送信する。又、電話加入者端末からの着信番号が番号情報管理テーブル（２００）に登録されていなければ、接続すべき電話網はＩＰ電話網（１３）と判定し、公衆交換電話網（１２）に対して網切断要求信号を送信する。
【００１６】
図３は、第１の実施形態による通信システム（１）全体の動作を示すシーケンス図である。まず、電話加入者が、電話加入者端末（１１−ｉ）の受話器を上げると（ＯＦＦ−ＨＯＯＫ）、電話加入者端末（１１−ｉ）から発信要求信号が通信制御装置（１０）に送信される（ステップＳ３００）。
【００１７】
通信制御装置（１０）は、電話加入者端末（１１−ｉ）から発信要求信号を受信すると、この発信要求信号を公衆交換電話網（１２）に終端せずに透過送信する（Ｓ３０１）。又、通信制御装置（１０）は、受信した上記発信要求信号をパケット化して（Ｓ３０２）、ＩＰ電話網（１３）へ送信する（Ｓ３０３）。
【００１８】
公衆交換電話網（１２）では、発信要求信号を受けてダイヤルトーン信号を送信する（Ｓ３０４）。ダイヤルトーン信号は、通信制御装置（１０）を介して発信要求元の電話加入者端末（１１−ｉ）に送信される（Ｓ３０５）。
【００１９】
次に、電話加入者が、ダイヤルトーン信号を受けて電話加入者端末（１１−ｉ）からダイヤル番号（例えば、１１０）を入力すると、電話加入者端末（１１−ｉ）からこの番号“１１０”が通信制御装置（１０）に送信される（Ｓ３０６）。
【００２０】
通信制御装置（１０）は、電話加入者端末（１１−ｉ）から着信番号“１１０”を受信すると、着信番号“１１０”を公衆交換電話網（２００）に終端せずに透過送信する（Ｓ３０７）。又、通信制御装置（１０）は、受信した着信番号“１１０”をパケット化して（Ｓ３０８）、ＩＰ電話網（１３）へ送信する（Ｓ３０９）。更に、通信制御装置（１０）は、受信した着信番号“１１０”に基づいて着信番号情報管理テーブル（２０）を検索し、着信番号“１１０”の着信番号情報管理テーブル（２００）への登録の有無から、接続すべき電話網を判定する（Ｓ３１０）。本実施例では、着信番号“１１０”が着信番号情報管理テーブル（２００）に登録されている（図２参照）ので、通信制御装置（１０）は、公衆交換網（１２）に接続すべきであると判断し、ＩＰ電話網（１３）に対しては網切断要求信号を送信する（Ｓ３１１）。網切断要求信号を受信したＩＰ電話網（１３）では、着信番号を受信した後に、網切断要求があったと認識するのみであるため、何ら悪影響を及ぼされない。又、通信制御装置（１０）は、ＩＰ電話網（１３）への接続を切断するように装置内を制御する（Ｓ３１２）。以上の動作によって、発信要求元の電話加入者端末（１１−ｉ）と公衆交換電話網（１２）とが通話状態に遷移する（Ｓ３１３）。
【００２１】
図４と図５は、第１の実施形態による通信制御装置（１０）の制御を示すフローチャートである。制御部（１０４）は、電話加入者端末（１１−ｉ）からの発信要求信号を端末インタフェース部（１００−ｉ）を介して受信すると（ステップＳ４０１）、端末インタフェース部（１００−ｉ）をＩＰ電話網インタフェース部（１０１）と公衆交換電話網インタフェース部（１０２）の各々に接続するようにスイッチ（１０３）を制御する（Ｓ４０２）。
【００２２】
スイッチ（１０３）は、発信要求信号を公衆交換電話網インタフェース部（１０１）とＩＰ電話網インタフェース部（１０２）に送信する（Ｓ４０３）。
【００２３】
公衆交換電話網インタフェース部（１０１）は、スイッチ（１０３）から送信された発信要求信号を公衆交換電話網（１２）に終端せずに透過送信する（Ｓ４０４）。一方、ＩＰ電話網インタフェース部（１０２）は、スイッチ（１０３）から送信された発信要求信号をパケット化してＩＰ電話網（１３）に送信する（Ｓ４０５）。
【００２４】
次に、公衆交換電話網（１２）からのダイヤルトーン信号が、公衆交換電話網インタフェース部（１０１）、スイッチ（１０３）、端末インタフェース部（１０−ｉ）を介して発信要求元の電話加入者端末（１１−ｉ）に送信される（Ｓ４０６）。
【００２５】
次に、端末インタフェース部（１００−ｉ）は、発信要求元の電話加入者端末（１１−ｉ）から着信番号を受信すると、この着信番号をスイッチ（１０３）と制御部（１０４）に送信する（Ｓ４０７）。スイッチ（１０３）は、着信番号を公衆交換電話網インタフェース部（１０１）とＩＰ電話網インタフェース部（１０２）に送信する（Ｓ４０８）。
【００２６】
公衆交換電話網インタフェース部（１０１）は、スイッチ（１０３）から送信された着信番号を公衆交換電話網（１２）に終端せずに透過送信する（Ｓ４０９）。一方、ＩＰ電話網インタフェース部（１０２）は、スイッチ（１０３）から送信された着信番号をパケット化してＩＰ電話網（１３）に送信する（Ｓ４１０）。
【００２７】
制御部（１０４）は、端末インタフェース部（１００−ｉ）から着信番号を受信すると、この着信番号に基づいて番号情報管理テーブル（２００）を検索し、着信番号の番号情報管理テーブル（２００）への登録の有無から、接続すべき電話網を判定する（Ｓ４１１）。制御部（１０４）は、着信番号が番号情報管理テーブル（２００）に登録されていれば、接続すべき電話網は公衆交換電話網（１２）であると判定し、ＩＰ電話網（１３）に対して網切断要求信号をＩＰ電話網インタフェース部（１０２）を介して送信する（Ｓ４１２）。又、制御部（１０４）は、端末インタフェース部（１００−ｉ）とＩＰ電話網インタフェース部（１０２）との接続を切断するようにスイッチ（１０３）を制御する（Ｓ４１３）。
【００２８】
又、Ｓ４１１の判定において、制御部（１０４）は、着信番号が番号情報管理テーブル（２００）に登録されていなければ、接続すべき電話網はＩＰ電話網（１３）であると判定し、公衆交換電話網（１２）に対しては網切断要求信号を公衆交換電話網インタフェース部（１０１）を介して送信する（Ｓ４１４）。又、制御部（１０４）は、端末インタフェース部（１００−ｉ）と公衆交換電話網インタフェース部（１０１）との接続を切断するようにスイッチ（１０３）を制御する（Ｓ４１５）。
【００２９】
図６は、第２の実施形態による通信制御装置（６０）の構成及びこれを用いた通信システム（６）の構成を示す図である。通信システム（６）は、通信制御装置（６０）と、通信制御装置（６０）に接続される複数の電話加入者端末（１１−ｉ）（ｉ＝１、２、・・・、ｎ）、公衆交換電話網１２及びＩＰ電話網１３とから構成されている。
【００３０】
通信制御装置（６０）は、公衆交換電話網と接続される公衆交換電話網インタフェース部（６０１）と、ＩＰ電話網（１３）と接続されるＩＰ電話網インタフェース部（６０２）と、電話加入者端末（１１−ｉ）からの発信要求信号を検出する発信要求検出部（６０３）と、電話加入者端末（１１−ｉ）からの着信番号を検出する着信番号検出部（６０４）と、網切断要求信号を出力する網切断要求信号出力部（６０５）と、複数のポートを有し、受信信号のスイッチングを行うスイッチ（６０６）と、発信要求検出部（６０３）と着信番号検出部（６０４）の出力に基づいてスイッチ（６０６）を制御する制御部（６０７）と、複数の電話加入者端末からの信号を多重してスイッチ（６０６）に出力し、又、スイッチ（６０６）からの信号を分離して各電話加入者端末に出力する多重分離部（６０８）とを備えている。制御部（６０７）は、図２に示す番号情報管理テーブル（２００）を有し、電話加入者端末（１１−ｉ）からの着信番号と番号情報管理テーブル（２００）の登録内容から、接続すべき電話網を判定する。
【００３１】
詳細を後述するが、通信制御装置（６０）は、電話加入者端末（１１−ｉ）からの発信要求信号と着信番号を公衆交換電話網（１２）とＩＰ電話網（１３）の各々に透過転送すると共に、受信した着信番号と予め登録された番号情報とから接続すべき電話網を判定し、接続すべきでない電話網に対して網切断要求信号を送信するように制御する制御手段を備える。
【００３２】
本実施例における通信システム（６）の動作は、通信システム（１）と同様であるので、第１の実施形態の説明で使用した図３を用いて説明する。尚、図３において、通信制御装置（１０）を通信制御装置（６０）に置き換えて説明する。
【００３３】
まず、電話加入者が、電話加入者端末（１１−ｉ）の受話器を上げると（ＯＦＦ−ＨＯＯＫ）、電話加入者端末（１１−ｉ）から発信要求信号が通信制御装置（１０）に送信される（ステップＳ３００）。
【００３４】
通信制御装置（６０）は、電話加入者端末（１１−ｉ）から発信要求信号を受信すると、この発信要求信号を公衆交換電話網（１２）に終端せずに透過送信する（Ｓ３０１）。又、通信制御装置（６０）は、受信した上記発信要求信号をパケット化して（Ｓ３０２）、ＩＰ電話網（１３）へ送信する（Ｓ３０３）。
【００３５】
公衆交換電話網（１２）では、発信要求信号を受けてダイヤルトーン信号を送信する（Ｓ３０４）。ダイヤルトーン信号は、通信制御装置（６０）を介して発信要求元の電話加入者端末（１１−ｉ）に送信される（Ｓ３０５）。
【００３６】
次に、電話加入者が、ダイヤルトーン信号を受けて電話加入者端末（１１−ｉ）からダイヤル番号（例えば、１１０）を入力すると、電話加入者端末（１１−ｉ）から着信番号“１１０”が通信制御装置（６０）へ送信される（Ｓ３０６）。
【００３７】
通信制御装置（６０）は、電話加入者端末（１１−ｉ）から着信番号“１１０”を受信すると、着信番号“１１０”を公衆交換電話網（２００）に終端せずに透過送信する（Ｓ３０７）。又、通信制御装置（６０）は、受信した着信番号“１１０”をパケット化して（Ｓ３０８）、ＩＰ電話網（１３）へ送信する（Ｓ３０９）。更に、通信制御装置（６０）は、受信した着信番号“１１０”に基づいて着信番号情報管理テーブル（２０）を検索し、着信番号“１１０”の着信番号情報管理テーブル（２００）への登録の有無から、接続すべき電話網を判定する（Ｓ３１０）。本実施例では、着信番号“１１０”が着信番号情報管理テーブル（２００）に登録されている（図２参照）ので、通信制御装置（６０）は、公衆交換網（１２）に接続すべきであると判断し、ＩＰ電話網（１３）に対しては網切断要求信号を送信する（Ｓ３１１）。又、通信制御装置（６０）は、ＩＰ電話網（１３）への接続を切断するように装置内を制御する（Ｓ３１２）。以上の動作によって、発信要求元の電話加入者端末（１１−ｉ）と公衆交換電話網（１２）とが通話状態に遷移する（Ｓ３１３）。
【００３８】
図７と図８は、第２の実施形態による通信制御装置（６０）の制御を示すフローチャートである。
【００３９】
発信要求検出部（６０３）は、電話加入者端末（１１−ｉ）からの発信要求信号を検出すると、その旨を制御部（６０７）に通知する（ステップＳ７０１）。
【００４０】
制御部（６０７）は、発信要求検出部（６０３）からの通知を受けると、この発信要求信号が公衆交換電話網インタフェース部（６０１）とＩＰ電話網インタフェース部（６０２）に送信されるようにスイッチ（６０６）を制御する（Ｓ７０２）。この制御により、発信要求信号が、公衆交換電話網インタフェース部（６０１）とＩＰ電話網インタフェース部（６０２）に送信される（Ｓ７０３）。公衆交換電話網インタフェース部（６０１）は、スイッチ（６０６）から送信された発信要求信号を公衆交換電話網（１２）に終端せずに透過送信する（Ｓ７０４）。一方、ＩＰ電話網インタフェース部（６０２）は、スイッチ（６０６）から送信された発信要求信号をパケット化してＩＰ電話網（１３）に送信する（Ｓ７０５）。
【００４１】
次に、公衆交換電話網（１２）からのダイヤルトーン信号が、公衆交換電話網インタフェース部（１０１）、スイッチ（６０６）、多重分離部（６０８）を介して発信要求元の電話加入者端末（１１−ｉ）に送信される（Ｓ７０６）。
【００４２】
次に、スイッチ（６０６）は、発信要求元の電話加入者端末（１１−ｉ）からの着信番号を多重分離部（６０８）を介して受信すると、この着信番号を公衆交換電話網インタフェース部（６０１）とＩＰ電話網インタフェース部（６０２）に送信する（Ｓ７０７）。
【００４３】
公衆交換電話網インタフェース部（６０１）は、スイッチ（６０６）から送信された着信番号を公衆交換電話網（１２）に終端せずに透過送信する（Ｓ７０８）。一方、ＩＰ電話網インタフェース部（６０２）は、スイッチ（１０３）から送信された着信番号をパケット化してＩＰ電話網（１３）に送信する（Ｓ７０９）。
【００４４】
又、着信番号検出部（６０４）は、着信番号を検出すると、この着信番号を制御部（６０７）に通知する（Ｓ７１０）。制御部（６０７）は、この着信番号に基づいて番号情報管理テーブル（２００）を検索し、着信番号の番号情報管理テーブル（２００）への登録の有無から、接続すべき電話網を判定する（Ｓ７１１）。制御部（６０７）は、着信番号が番号情報管理テーブル（２００）に登録されていれば、接続すべき電話網は公衆交換電話網（１２）であると判定し、ＩＰ電話網（１３）に対して網切断要求信号を送信するようにスイッチ（６０７）を制御する。このスイッチの制御により、網切断要求信号送信部（６０５）からの網切断要求信号がスイッチ（６０６）、ＩＰ電話網インタフェース部（６０２）を介してＩＰ電話網（１３）へ送信される（Ｓ７１２）。
【００４５】
次に制御部（６０７）は、多重分離部（６０８）からの信号がＩＰ電話網インタフェース部（６０２）に送信されないようにスイッチ（６０６）を制御する（Ｓ７１３）。
【００４６】
又、Ｓ７１１の判定において、制御部（６０７）は、着信番号が番号情報管理テーブル（２００）に登録されていなければ、接続すべき電話網はＩＰ電話網（１３）であると判定し、公衆交換電話網（１２）に対して網切断要求信号を送信するようにスイッチ（６０７）を制御する。このスイッチの制御により、網切断要求信号送信部（６０５）からの網切断要求信号がスイッチ（６０６）、公衆交換電話網インタフェース部（６０１）を介して公衆交換電話網（１２）へ送信される（Ｓ７１４）。
【００４７】
次に、制御部（６０７）は、多重分離部（６０８）からの信号が公衆交換電話網インタフェース部（６０１）に送信されないようにスイッチ（６０７）を制御する（Ｓ７１５）。
【００４８】
尚、第１の実施の形態では、制御部（１０４）が、網切断要求信号を公衆交換電話網インタフェース部（１０１）又はＩＰ電話網インタフェース部（１０２）に送信するようにしたが、制御部（１０４）の指示を受けた電話網インタフェース部が網切断要求信号を生成するようにしても良い。
【００４９】
又、図７に示すフローチャートにおいて、制御部（６０７）が、発信要求検出部（６０３）からの通知を受けて、発信要求信号が公衆交換電話網インタフェース部（６０１）とＩＰ電話網インタフェース部（６０２）に送信されるようにスイッチ（６０６）を制御するようにしているが、公衆交換電話網インタフェース部（６０１）へは予め発信要求信号が送信されるようにパスをはっておき、御部部（６０７）が発信要求検出部（６０３）からの通知を受けた際、発信要求信号がＩＰ電話網インタフェース部（６０２）に送信されるようにスイッチ（６０６）を制御するようにしても良い。
【００５０】
又、第１、第２の実施形態では、制御部（６０７）において、電話加入者端末からの着信番号を全て受信し、その着信番号を元に公衆交換電話網（１２）又はＩＰ電話網（１３）の何れの電話網に接続すべきかを判断するようにしたが、着信番号の一部（例えば、先頭部分）を受信した時点で、その一部の番号情報を元に公衆交換電話網（１２）又はＩＰ電話網（１３）の何れの電話網に接続すべきかを判断するようにしても良い。
【図面の簡単な説明】
【００５１】
【図１】図１は、第１の実施形態による通信制御装置（１０）の構成及びこれを用いた通信システム（１）の構成を示す図である。
【図２】図２は、制御部（１０４）に備える番号情報管理テーブル（２００）の構成を示す図である。
【図３】図３は、第１の実施形態による通信システム（１）全体の動作を示すシーケンス図である。
【図４】図４は、第１の実施形態による通信制御装置（１０）の制御を示すフローチャートである。
【図５】図５は、同じく、第１の実施形態による通信制御装置（１０）の制御を示すフローチャートである。
【図６】図６は、第２の実施形態による通信制御装置（６０）の構成及びこれを用いた通信システム（６）の構成を示す図である。
【図７】図７は、第２の実施形態による通信制御装置（６０）の制御を示すフローチャートである。
【図８】図８は、同じく、第２の実施形態による通信制御装置（６０）の制御を示すフローチャートである。
【符号の説明】
【００５２】
１  通信システム
１０  通信制御装置
１１−ｉ（ｉ＝１、２、・・・、ｎ）  電話加入者端末
１２  公衆交換電話網
１３  ＩＰ電話網
１００−ｉ（ｉ＝１、２、・・・、ｎ）  端末インタフェース部
１０１  公衆交換電話網インタフェース部
１０２  ＩＰ電話網インタフェース部
１０３  スイッチ
１０４  制御部
６  通信システム
６０  通信制御装置
６０１  公衆交換電話網インタフェース部
６０２  ＩＰ電話網インタフェース部
６０３  発信要求信号検出部
６０４  着信番号検出部
６０５  網切断要求信号送信部
６０６  スイッチ
６０７  制御部
６０８  多重分離部。
【図１】
2006157322.tif 000003
【図２】
2006157322.tif 000004
【図３】
2006157322.tif 000005
【図４】
2006157322.tif 000006
【図５】
2006157322.tif 000007
【図６】
2006157322.tif 000008
【図７】
2006157322.tif 000009
【図８】
2006157322.tif 000010